(57)【要約】【課題】本発明は、戸開閉不良の発生を防止できるドアレール清掃給油器及びエレベーターのドア装置を提供することを目的とする。【解決手段】本発明に係るドアレール清掃給油器１３は、部材保持部１７及び前端部１８を有し、部材保持部１７及び前端部１８がエレベーターのドアレール９の上方に位置する状態でドアハンガー１１に取り付けられる本体と、部材保持部１７に保持され、本体がドアハンガー１１に取り付けられた状態でドアレール９に接触する清掃給油部材１４と、を備え、部材保持部１７は、ドアハンガー１１に設けられたハンガーローラ１２に対してドアレール９に沿った方向における一側に位置し、前端部１８は、部材保持部１７に対して当該一側に位置し、ハンガーローラ１２が当該一側に向かって移動する際にドアレール９上に存在するごみを押しのけるものである。【選択図】図３
2017105599.tif 000002
【特許請求の範囲】
【請求項１】
部材保持部及び前端部を有し、前記部材保持部及び前記前端部がエレベーターのドアレールの上方に位置する状態でドアハンガーに取り付けられる本体と、
前記部材保持部に保持され、前記本体が前記ドアハンガーに取り付けられた状態で前記ドアレールに接触する清掃給油部材と、
を備え、
前記部材保持部は、前記ドアハンガーに設けられたハンガーローラに対して前記ドアレールに沿った方向における一側に位置し、
前記前端部は、前記部材保持部に対して当該一側に位置し、前記ハンガーローラが当該一側に向かって移動する際に前記ドアレール上に存在するごみを押しのけるドアレール清掃給油器。
【請求項２】
前記前端部は、前記部材保持部から遠ざかるにつれて低くなるよう傾斜している請求項１に記載のドアレール清掃給油器。
【請求項３】
前記部材保持部及び前記前端部は、前記本体が前記ドアハンガーに取り付けられた状態で前記ドアレールに接触しない請求項１又は２に記載のドアレール清掃給油器。
【請求項４】
エレベーターの出入口よりも上方に位置する前記ドアレールと、
前記ドアレール上を移動可能な前記ハンガーローラが設けられた前記ドアハンガーと、
請求項１から３のいずれか１項に記載のドアレール清掃給油器と、
を備えたエレベーターのドア装置。
【請求項５】
前記ドアレールに沿った方向において前記ハンガーローラから遠ざかる側に向かって前記本体を動かす駆動部を備えた請求項４に記載のエレベーターのドア装置。
【請求項６】
前記駆動部は、前記ドアハンガーに取り付けられたドアパネルが閉まり始めてから全閉するまでの期間中に動作する請求項５に記載のエレベーターのドア装置。
【請求項７】
前記駆動部は、前記ドアハンガーに取り付けられたドアパネルにより出入口が開閉されるかごが応答する呼びが存在しないときに動作する請求項５又は６に記載のエレベーターのドア装置。
【請求項８】
前記ドアレールの上面のうち、上方に前記前端部が位置し得る範囲であり且つ前記ハンガーローラが通過しない範囲に穴部が形成された請求項４から７のいずれか１項に記載のエレベーターのドア装置。
【発明の詳細な説明】
【技術分野】
【０００１】
本発明は、ドアレール清掃給油器及びエレベーターのドア装置に関するものである。
【背景技術】
【０００２】
従来、エレベーターに対して用いられるドアレール清掃給油器が知られている。ドアレール清掃給油器は、例えば、ドアレールの上面に接触した状態でドアの開閉に連動して移動する清掃給油部材を備える。このようなドアレール清掃給油器として、例えば、下記特許文献１に記載されたものがある。
【先行技術文献】
【特許文献】
【０００３】
【特許文献１】特開２０１０−２０８８１８号公報
【発明の概要】
【発明が解決しようとする課題】
【０００４】
上記のようなドアレール清掃給油器を用いると、ドアレールの上面のうち、清掃給油部材と接触する範囲の末端にごみが堆積する。堆積したごみの量が増えると、戸開閉不良が発生し得る。
【０００５】
本発明は、上記の課題を解決するためになされた。その目的は、戸開閉不良の発生を防止できるドアレール清掃給油器及びエレベーターのドア装置を提供することである。
【課題を解決するための手段】
【０００６】
本発明に係るドアレール清掃給油器は、部材保持部及び前端部を有し、部材保持部及び前端部がエレベーターのドアレールの上方に位置する状態でドアハンガーに取り付けられる本体と、部材保持部に保持され、本体がドアハンガーに取り付けられた状態でドアレールに接触する清掃給油部材と、を備え、部材保持部は、ドアハンガーに設けられたハンガーローラに対してドアレールに沿った方向における一側に位置し、前端部は、部材保持部に対して当該一側に位置し、ハンガーローラが当該一側に向かって移動する際にドアレール上に存在するごみを押しのけるものである。
【０００７】
本発明に係るエレベーターのドア装置は、ドアレールと、ドアレール上を移動可能なハンガーローラが設けられたドアハンガーと、上記のドアレール清掃給油器と、を備えたものである。
【発明の効果】
【０００８】
本発明に係るドアレール清掃給油器において、部材保持部は、ドアハンガーに設けられたハンガーローラに対してドアレールに沿った方向における一側に位置する。前端部は、部材保持部に対して当該一側に位置し、ハンガーローラが当該一側に向かって移動する際にドアレール上に存在するごみを押しのける。このため、本発明によれば、戸開閉不良の発生を防止することができる。
【図面の簡単な説明】
【０００９】
【図１】エレベーターの構成の一例を示す模式図である。
【図２】本発明の実施の形態１におけるドア装置の正面図である。
【図３】本発明の実施の形態１におけるドアレール清掃給油器の斜視図である。
【図４】本発明の実施の形態１におけるドアレール清掃給油器の平面図である。
【図５】本発明の実施の形態１におけるドアレール清掃給油器の正面図である。
【図６】本発明の実施の形態１におけるドア装置の正面図の一部拡大図である。
【図７】本発明の実施の形態１におけるドア装置の平面図の一部拡大図である。
【図８】本発明の実施の形態２におけるドア装置の正面図である。
【図９】本発明の実施の形態３におけるドア装置の正面図の一部拡大図である。
【発明を実施するための形態】
【００１０】
添付の図面を参照して、本発明を詳細に説明する。各図では、同一又は相当する部分に同一の符号を付している。重複する説明は、適宜簡略化あるいは省略する。
【００１１】
実施の形態１．
図１は、エレベーターの構成の一例を示す模式図である。
【００１２】
図１に示すように、エレベーターは、かご１、釣合おもり２、巻上機３及びロープ４を備えている。かご１及び釣合おもり２は、例えば、図示しない建物に設けられた昇降路５の内部に位置している。巻上機３は、例えば、図示しない機械室等に設けられている。ロープ４は、巻上機３に巻き掛けられている。かご１及び釣合おもり２は、ロープ４によって吊り下げられている。
【００１３】
図１に示すように、エレベーターは、エレベーター制御装置６及びドア制御装置７を備えている。エレベーター制御装置６は、例えば、昇降路５又は機械室等に設けられている。ドア制御装置７は、例えば、かご１の上部に設けられている。エレベーター制御装置６は、巻上機３及びドア制御装置７と電気的に接続されている。
【００１４】
巻上機３が駆動すると、かご１及び釣合おもり２が昇降する。エレベーター制御装置６は、巻上機３を駆動させることで、かご１を移動させる。ドア制御装置７は、図示しない電動機等を駆動させることで、かご１の出入口及び乗場の出入口を開閉する。
【００１５】
図２は、実施の形態１におけるドア装置の正面図である。図２は、一例として、かご１に設けられたドア装置を乗場側から見た状態を示している。図２は、一例として、両開きのドア装置を示している。かご１の正面には、図中に破線で示す出入口８が形成されている。
【００１６】
図２に示すように、ドア装置は、ドアレール９、ドアパネル１０及びドアハンガー１１を備えている。ドアレール９は、出入口８よりも上方に設けられている。ドアレール９は、かご１を正面から見た場合の左右方向が長手方向となるように設けられている。ドアパネル１０の上端には、ドアハンガー１１が固定されている。ドアハンガー１１には、ハンガーローラ１２及びドアレール清掃給油器１３が設けられている。
【００１７】
図２に示すように、ドア装置は、ドアパネル１０として、右側ドアパネル１０ａ及び左側ドアパネル１０ｂを備えている。ドア装置は、ドアハンガー１１として、右側ドアハンガー１１ａ及び左側ドアハンガー１１ｂを備えている。ドア装置は、ドアレール清掃給油器１３として、左向き清掃給油器１３ａ及び右向き清掃給油器１３ｂを備えている。右側ドアパネル１０ａの上端には、右側ドアハンガー１１ａが固定されている。右側ドアハンガー１１ａには、２つのハンガーローラ１２及び左向き清掃給油器１３ａが設けられている。左側ドアパネル１０ｂの上端には、左側ドアハンガー１１ｂが固定されている。左側ドアハンガー１１ｂには、２つのハンガーローラ１２及び右向き清掃給油器１３ｂが設けられている。
【００１８】
ハンガーローラ１２は、ドアハンガー１１の上部に設けられている。２つのハンガーローラ１２のうち一方は、ドアハンガー１１の左端部に設けられている。２つのハンガーローラ１２のうち他方は、ドアハンガー１１の右端部に設けられている。ハンガーローラ１２は、ドアレール９に支持されている。つまり、ドアパネル１０は、ドアハンガー１１及びハンガーローラ１２を介してドアレール９に支持されている。ハンガーローラ１２は、ドアハンガー１１に対して回転可能に設けられている。ハンガーローラ１２は、ドアレール９上を左右に移動可能である。ドアパネル１０は、ハンガーローラ１２がドアレール９上を移動することにより、ドアレール９の長手方向に沿って移動する。ドア制御装置７は、図示しない電動機等により右側ドアパネル１０ａ及び左側ドアパネル１０ｂを互いに逆方向に移動させることで、出入口８を開閉する。
【００１９】
図３は、実施の形態１におけるドアレール清掃給油器の斜視図である。図４は、実施の形態１におけるドアレール清掃給油器の平面図である。図５は、実施の形態１におけるドアレール清掃給油器の正面図である。図３から図５は、ドアレール清掃給油器１３の一例として、左向き清掃給油器１３ａの形状を示している。なお、右向き清掃給油器１３ｂは、図３から図５を左右反転したものと同様の形状を呈する。
【００２０】
図３から図５に示すように、ドアレール清掃給油器１３は、本体及び本体に保持される清掃給油部材１４を備えている。本体は、第１支持部１５、第２支持部１６、部材保持部１７及び前端部１８を有する。本体は、例えば、合成樹脂等の材質で形成されている。清掃給油部材１４は、例えば、液体を染み込ませることが可能な、弾性を有する部材である。清掃給油部材１４は、例えば、潤滑油を染み込ませたフェルト等である。清掃給油部材１４は、本体から取り外すことが可能である。
【００２１】
第１支持部１５及び第２支持部１６は、例えば、板状に形成されている。第１支持部１５の一端付近には、例えば、ネジ穴１９が形成されている。第１支持部１５の他端は、第２支持部１６の一端に連続している。第２支持部１６の一端は、例えば、第１支持部１５の他端と直角をなしている。第２支持部１６の他端は、部材保持部１７の一端に連続している。部材保持部１７は、例えば、第１支持部１５の長手方向に沿って、第１支持部１５から遠ざかる側へ向かって伸びるように形成されている。前端部１８は、部材保持部１７の他端に連続している。
【００２２】
部材保持部１７は、例えば、中空に形成されている。部材保持部１７は、例えば、上面及び底面を持たない筒状に形成されている。部材保持部１７の他端は、例えば、平面視において、第１支持部１５の長手方向に沿って第１支持部１５から遠ざかる側へ向かって尖った形状に形成されている。
【００２３】
前端部１８は、部材保持部１７の他端から突出している。前端部１８は、例えば、平面視において、第１支持部１５の長手方向に沿って第１支持部１５から遠ざかる側へ向かって尖った形状に形成されている。前端部１８は、正面視において、第１支持部１５の長手方向に沿って第１支持部１５から遠ざかる側へ向かって尖った形状に形成されている。前端部１８の下端は、例えば、第１支持部１５、第２支持部１６及び部材保持部１７の下端と同じ高さに形成されている。つまり、前端部１８は、部材保持部１７から遠ざかるにつれて低くなるよう傾斜している。なお、前端部１８の表面は、平面であっても曲面であってもよい。
【００２４】
清掃給油部材１４は、部材保持部１７により保持される。清掃給油部材１４は、例えば、部材保持部１７の内側に詰められる。清掃給油部材１４は、部材保持部１７の下端よりも下方に突出した状態で保持される。
【００２５】
図６は、実施の形態１におけるドア装置の正面図の一部拡大図である。図７は、実施の形態１におけるドア装置の平面図の一部拡大図である。図６は、図２における右側ドアハンガー１１ａの左端部及び左側ドアハンガー１１ｂの右端部を含む範囲を拡大したものである。図７は、図２及び図６における左向き清掃給油器１３ａ周辺の範囲を上方から見た状態で拡大したものである。なお、右向き清掃給油器１３ｂ周辺の範囲を上方から見た場合、図７を左右反転したものと同様の状態となる。
【００２６】
図６及び図７に示すように、ドアレール清掃給油器１３の本体は、部材保持部１７及び前端部１８がエレベーターのドアレール９の上方に位置する状態でドアハンガー１１に取り付けられている。ドアレール清掃給油器１３の本体は、例えば、ネジ穴１９を介して、ネジ２０により第１支持部１５がドアハンガー１１に固定されることで、ドアハンガー１１に取り付けられる。
【００２７】
図６及び図７に示すように、左向き清掃給油器１３ａの本体は、前端部１８を左に向けた状態で、右側ドアハンガー１１ａに取り付けられている。左向き清掃給油器１３ａの本体は、右側ドアハンガー１１ａの左端部に取り付けられている。つまり、左向き清掃給油器１３ａは、ドア装置において戸当り側に設けられている。左向き清掃給油器１３ａの部材保持部１７は、右側ドアハンガー１１ａの左端部に設けられたハンガーローラ１２に対して左側に位置している。左向き清掃給油器１３ａの前端部１８は、当該ハンガーローラ１２及び当該部材保持部１７に対して左側に位置している。
【００２８】
図６及び図７に示すように、右向き清掃給油器１３ｂの本体は、前端部１８を右に向けた状態で、左側ドアハンガー１１ｂに取り付けられている。右向き清掃給油器１３ｂの本体は、左側ドアハンガー１１ｂの右端部に取り付けられている。つまり、右向き清掃給油器１３ｂは、ドア装置において戸当り側に設けられている。右向き清掃給油器１３ｂの部材保持部１７は、左側ドアハンガー１１ｂの右端部に設けられたハンガーローラ１２に対して右側に位置している。右向き清掃給油器１３ｂの前端部１８は、当該ハンガーローラ１２及び当該部材保持部１７に対して右側に位置している。
【００２９】
図６に示すように、ドアレール清掃給油器１３の本体がドアハンガー１１に取り付けられた状態において、当該本体に保持された清掃給油部材１４は、ドアレール９の上面に接触する。ドアレール清掃給油器１３の本体がドアハンガー１１に取り付けられた状態において、当該本体は、ドアレール９に接触しない。つまり、ドアレール清掃給油器１３の本体は、ドアハンガー１１に取り付けられた状態で下端とドアレール９との間に隙間が生じる大きさ及び形状に形成されている。ドアレール清掃給油器１３の本体がドアハンガー１１に取り付けられた状態において、部材保持部１７及び前端部１８の下端とドアレール９の上面との距離は、例えば、０．０５ｍｍである。つまり、清掃給油部材１４は、例えば、部材保持部１７の下端よりも０．０５ｍｍだけ下方に突出した状態で保持される。
【００３０】
ドアレール清掃給油器１３は、出入口８を開閉するドアパネル１０の移動に連動して、ドアレール９の長手方向に沿って移動する。清掃給油部材１４は、左右に移動する際に、ドアレール９に付着した塵埃を拭き取るとともに、ドアレール９に潤滑油を供給する。左向き清掃給油器１３ａの前端部１８は、左に移動する際に、ドアレール９上に存在するごみを押しのける。右向き清掃給油器１３ｂの前端部１８は、右に移動する際に、ドアレール９上に存在するごみを押しのける。つまり、戸当り側に設けられたドアレール清掃給油器１３の前端部１８は、出入口８が閉じられる際に、ドアレール９上に存在するごみを押しのける。
【００３１】
実施の形態１において、ドアレール清掃給油器１３の本体は、部材保持部１７及び前端部１８がエレベーターのドアレール９の上方に位置する状態でドアハンガー１１に取り付けられる。清掃給油部材１４は、部材保持部１７に保持され、部材保持部１７の下端よりも下方に突出し、本体がドアハンガー１１に取り付けられた状態でドアレール９に接触する。部材保持部１７は、ドアハンガー１１に設けられたハンガーローラ１２に対してドアレール９に沿った方向における一側に位置する。前端部１８は、部材保持部１７に対して当該一側に位置し、ハンガーローラ１２が当該一側に向かって移動する際にドアレール９上に存在するごみを押しのける。つまり、前端部１８は、当該一側に向かって移動する際に、清掃給油部材１４よりも先行してドアレール９上のごみを排除する。このため、実施の形態１によれば、ドアレール９の上面のうち清掃給油部材１４と接触する範囲の末端におけるごみの堆積を抑制できる。その結果、エレベーターの戸開閉不良の発生を防止することができる。
【００３２】
実施の形態１において、前端部１８は、部材保持部１７から遠ざかるにつれて低くなるよう傾斜している。つまり、前端部１８は、その形状により、下から掬い上げるようにしてドアレール９上のごみを押しのける。このため、より効率的にドアレール９上のごみを排除できる。その結果、エレベーターの戸開閉不良の発生を防止することができる。
【００３３】
実施の形態１において、部材保持部１７及び前端部１８は、ドアレール清掃給油器１３の本体がドアハンガー１１に取り付けられた状態でドアレール９に接触しない。このため、例えば、部材保持部１７又は前端部１８とドアレール９とが擦れる音が発生することを防止できる。その結果、例えば、エレベーターの乗客に不快感を与えることを防止できる。
【００３４】
実施の形態２．
以下、実施の形態１との相違点を中心に、エレベーターのドア装置の構成を説明する。実施の形態１と同一又は相当する部分には同一の符号を付して、一部の説明を省略する。
【００３５】
図８は、実施の形態２におけるドア装置の正面図である。
【００３６】
図８に示すように、実施の形態２において、ドア装置は、駆動部２１を備えている。駆動部２１は、例えば、それぞれのドアレール清掃給油器１３に対応して設けられる。駆動部２１は、例えば、ドアハンガー１１等に設けられている。右側ドアハンガー１１ａに設けられた駆動部２１は、例えば、左向き清掃給油器１３ａに対応する。左側ドアハンガー１１ｂに設けられた駆動部２１は、例えば、右向き清掃給油器１３ｂに対応する。
【００３７】
実施の形態２において、ドアレール清掃給油器１３の本体は、ドアハンガー１１に対し、ドアレール９の長手方向に沿って移動可能に取り付けられている。つまり、ドアレール清掃給油器１３の第１支持部１５は、ドアハンガー１１に固定されているわけではない。
【００３８】
駆動部２１は、少なくともハンガーローラ１２から遠ざかる側に向かって、ドアレール９の長手方向に沿ってドアレール清掃給油器１３の本体を動かす機能を有する。つまり、左向き清掃給油器１３ａに対応する駆動部２１は、左向き清掃給油器１３ａの本体を左側に動かす機能を有する。また、右向き清掃給油器１３ｂに対応する駆動部２１は、右向き清掃給油器１３ｂの本体を右側に動かす機能を有する。
【００３９】
駆動部２１は、例えば、ドアレール９の長手方向に沿ってドアレール清掃給油器１３の本体を往復運動させるものである。駆動部２１の駆動機構は、例えば、サーボモータを用いた機構又はピストンクランク機構等である。なお、実施の形態２において、ドアレール清掃給油器１３の第１支持部１５は、駆動部２１の駆動機構に応じて形成されている。
【００４０】
駆動部２１は、例えば、エレベーター制御装置６、ドア制御装置７又はドア装置が備える図示しないセンサ等からの信号に基づいて動作する。ドア装置が備えるセンサとは、例えば、ドアパネル１０の戸当り部等に設けられた光電センサ等である。
【００４１】
駆動部２１は、例えば、ドアパネル１０が閉まり始めてから出入口８が全閉するまでの期間中に動作する。この場合、駆動部２１は、例えば、右側ドアパネル１０ａと左側ドアパネル１０ｂとの間隔が５０ｍｍとなった時点でドアレール清掃給油器１３を動かす。この場合、駆動部２１は、例えば、出入口８が全閉した状態では動作しない。
【００４２】
駆動部２１は、例えば、ドアパネル１０により出入口８が開閉されるかご１が応答する呼びが存在しないときに動作する。この場合、駆動部２１は、かご呼び及び乗場呼びの少なくとも一方にかご１が割り当てられている状態では動作しない。この場合、駆動部２１は、例えば、出入口８が全閉した状態で動作してもよい。
【００４３】
実施の形態２において、駆動部２１は、ドアレール９に沿った方向においてハンガーローラ１２から遠ざかる側に向かってドアレール清掃給油器１３の本体を動かす。つまり、左向き清掃給油器１３ａは、右側ドアハンガー１１ａに固定されている場合に比べて、より左側まで移動可能となる。また、右向き清掃給油器１３ｂは、左側ドアハンガー１１ｂに固定されている場合に比べて、より右側まで移動可能となる。このため、実施の形態２によれば、ドアレール９の上面においてごみが堆積する位置をハンガーローラ１２の移動範囲から遠ざけることができる。その結果、エレベーターの戸開閉不良の発生を防止することができる。
【００４４】
実施の形態２において、駆動部２１は、例えば、ドアパネル１０が閉まり始めてから出入口８が全閉するまでの期間中に動作する。つまり、駆動部２１は、例えば、エレベーターの乗客の乗降が終了した後、かご１が移動し始める前に動作する。このため、例えば、駆動部２１の動作が上下方向の加速度による影響を受けることを防止できる。
【００４５】
実施の形態２において、駆動部２１は、例えば、ドアパネル１０により出入口８が開閉されるかご１が応答する呼びが存在しないときに動作する。つまり、駆動部２１は、例えば、かご１が停止して待機しているときに動作する。このため、例えば、駆動部２１の動作が上下方向の加速度による影響を受けることを防止できる。
【００４６】
実施の形態２において、左向き清掃給油器１３ａに対応する駆動部２１及び右向き清掃給油器１３ｂに対応する駆動部２１は、同時に動作してもよいし、交互に動作してもよい。２つの駆動部２１が交互に動作すれば、例えば、出入口８が全閉した状態における左向き清掃給油器１３ａと右向き清掃給油器１３ｂとの距離が短い場合であっても、ドアレール清掃給油器１３同士が衝突することを防止できる。
【００４７】
実施の形態３．
以下、実施の形態１及び２との相違点を中心に、エレベーターのドア装置の構成を説明する。実施の形態１又は２と同一又は相当する部分には同一の符号を付して、一部の説明を省略する。
【００４８】
図９は、実施の形態３におけるドア装置の正面図の一部拡大図である。
【００４９】
図９に示すように、実施の形態３において、ドアレール９の上面には、穴部２２が形成されている。穴部２２は、ドアレール９の上面のうち、例えば、上方にドアレール清掃給油器１３の前端部１８が位置し得る範囲であり且つハンガーローラ１２が通過しない範囲に形成されている。穴部２２は、例えば、左向き清掃給油器１３ａの前端部１８及び右向き清掃給油器１３ｂの前端部１８のそれぞれに対応して２つ形成されている。
【００５０】
実施の形態３において、穴部２２は、例えば、ドアレールの上面のうち、上方に前端部１８が位置し得る範囲であり且つハンガーローラ１２が通過しない範囲に形成されている。このため、実施の形態３によれば、ドアレール清掃給油器１３の前端部１８により押しのけられたごみは、穴部２２の中に落とされる。その結果、ドアレール９の上面におけるごみの堆積をさらに抑制することができる。
【００５１】
実施の形態３において、穴部２２には、例えば、上側が開放された容器が取り外し可能に嵌め込まれていてもよい。容器は、例えば、穴部２２の内部形状に対応した外部形状を呈するものである。この場合、容器を交換するだけで、穴部２２に溜まったごみを容易に回収することができる。
【００５２】
実施の形態３において、穴部２２は、例えば、出入口８が全閉した状態で左向き清掃給油器１３ａの前端部１８及び右向き清掃給油器１３ｂの前端部１８の双方が上方に位置する大きさであれば、１つのみ形成されてもよい。
【００５３】
実施の形態３において、穴部２２は、実施の形態２と同様にドア装置が駆動部２１を備えている場合には、ドアレール９の上面のうち、駆動部２１が動作しなければ上方に前端部１８が位置し得ず、駆動部２１が動作すれば上方に前端部１８が位置し得る範囲に形成されてもよい。この場合、穴部２２は、１つのみ形成されてもよい。
【００５４】
実施の形態１、２及び３において、ドアレール清掃給油器１３の部材保持部１７は、上面を有していてもよい。部材保持部１７の内部には、清掃給油部材１４を保持するための芯又は突起等が形成されていてもよい。部材保持部１７の内部には、清掃給油部材１４をドアレール９に押し付けるためのバネ等が設けられてもよい。
【００５５】
実施の形態１、２及び３において、ドアレール清掃給油器１３は、ドア装置における戸当り側だけでなく戸袋側に設けられてもよい。つまり、右側ドアハンガー１１ａの右端部に右向き清掃給油器１３ｂが取り付けられ、左側ドアハンガー１１ｂの左端部に左向き清掃給油器１３ａが取り付けられてもよい。戸袋側に設けられたドアレール清掃給油器１３の前端部１８は、出入口８が開かれる際に、ドアレール９上に存在するごみを排除する。
【００５６】
実施の形態１、２及び３において、ドアレール清掃給油器１３は、片開きのドア装置に設けられてもよい。実施の形態１、２及び３において、ドアレール清掃給油器１３は、乗場に設けられたドア装置に設けられてもよい。実施の形態１、２及び３におけるエレベーターのドア装置は、かご側に限らず、乗場側に適用してもよい。
【符号の説明】
【００５７】
１  かご
２  釣合おもり
３  巻上機
４  ロープ
５  昇降路
６  エレベーター制御装置
７  ドア制御装置
８  出入口
９  ドアレール
１０  ドアパネル
１０ａ  右側ドアパネル
１０ｂ  左側ドアパネル
１１  ドアハンガー
１１ａ  右側ドアハンガー
１１ｂ  左側ドアハンガー
１２  ハンガーローラ
１３  ドアレール清掃給油器
１３ａ  左向き清掃給油器
１３ｂ  右向き清掃給油器
１４  清掃給油部材
１５  第１支持部
１６  第２支持部
１７  部材保持部
１８  前端部
１９  ネジ穴
２０  ネジ
２１  駆動部
２２  穴部
【図１】
2017105599.tif 000003
【図２】
2017105599.tif 000004
【図３】
2017105599.tif 000005
【図４】
2017105599.tif 000006
【図５】
2017105599.tif 000007
【図６】
2017105599.tif 000008
【図７】
2017105599.tif 000009
【図８】
2017105599.tif 000010
【図９】
2017105599.tif 000011